(57)【要約】      （修正有）【課題】蛇などの小動物が電柱に昇るのをより効果的に防止可能な小動物昇柱防止装置を提供する。【解決手段】逆椀状で中央部に装着孔を有し、この装着孔に電柱Ｐが挿入された状態で電柱Ｐに取り付けられる笠部２と、笠部２の下端から下方に延び、電柱Ｐの周囲を覆う壁部３と、外力がかからない状態では壁部３を筒状に開口し、蛇Ｓが接触して外力がかかると壁部３を閉じる開閉機構５と、を備える。【選択図】図１
2018174801.tif 000002
【特許請求の範囲】
【請求項１】
逆椀状で中央部に装着孔を有し、前記装着孔に電柱が挿入された状態で前記電柱に取り付けられる笠部と、
前記笠部の下端から下方に延び、前記電柱の周囲を覆う壁部と、
外力がかからない状態では前記壁部を筒状に開口し、蛇を含む小動物が接触して外力がかかると前記壁部を閉じる開閉機構と、
を備えることを特徴とする小動物昇柱防止装置。
【請求項２】
前記開閉機構は、地上近くまで延び、前記壁部が閉じた状態で操作すると前記壁部が筒状に開口する操作部を備える、
ことを特徴とする請求項１に記載の小動物昇柱防止装置。
【請求項３】
前記壁部は第１の壁部と第２の壁部とを備え、
前記開閉機構は、前記第１の壁部と前記第２の壁部とを連結し屈伸自在な連結バーで構成され、
外力がかからない状態では、前記連結バーが延びて前記第１の壁部と前記第２の壁部が筒状に開口し、前記小動物が接触して外力がかかると、前記連結バーが屈折して前記第１の壁部と前記第２の壁部が閉じる、
ことを特徴とする請求項１または２のいずれか１項に記載の小動物昇柱防止装置。
【発明の詳細な説明】
【技術分野】
【０００１】
この発明は、電力柱や通信柱を含む電柱に蛇などの小動物が昇るのを防止する小動物昇柱防止装置に関する。
【背景技術】
【０００２】
従来から、蛇などの小動物が充電部に接触することで配電線路が停電する、という事故が後を絶たず、このような停電を防止するために、小動物等の登はん防止構造などが開発されている（例えば、特許文献１参照。）。この登はん防止構造は、電柱の表面に蛇害防止用粘着テープを周回状に貼着し、この蛇害防止用粘着テープより上方に逆椀状に形成された登はん防止具を取着して構成される。そして、電柱を這い上がる蛇は蛇害防止用粘着テープによって這い進む行動が阻止され、野鼠等の小動物は、登はん防止具に遮られて後戻りを余儀なくされる、というものである。
【先行技術文献】
【特許文献】
【０００３】
【特許文献１】特開平０５−２３１０４４号公報
【発明の概要】
【発明が解決しようとする課題】
【０００４】
ところで、特許文献１に記載のような登はん防止構造では、長時間経過することで粘着テープの粘着性が低下して、蛇の昇柱を防止する効果が低減してしまう。このため、粘着テープを定期的に交換する必要があるが、多大な時間と手間を要する。さらに、逆椀状の登はん防止具によって小動物の登はんを遮るだけであるため、登はん防止効果が低く、小動物が登はん防止具を乗り越えて昇柱するおそれがある。
【０００５】
そこでこの発明は、蛇などの小動物が電柱に昇るのをより効果的に防止可能な小動物昇柱防止装置を提供することを目的とする。
【課題を解決するための手段】
【０００６】
上記課題を解決するために、請求項１の発明は、逆椀状で中央部に装着孔を有し、前記装着孔に電柱が挿入された状態で前記電柱に取り付けられる笠部と、前記笠部の下端から下方に延び、前記電柱の周囲を覆う壁部と、外力がかからない状態では前記壁部を筒状に開口し、蛇を含む小動物が接触して外力がかかると前記壁部を閉じる開閉機構と、を備えることを特徴とする小動物昇柱防止装置である。
【０００７】
この発明によれば、壁部が筒状に開口した状態で蛇などの小動物が電柱に昇り、小動物が開閉機構に接触して外力がかかると、壁部が閉じる。
【０００８】
請求項２の発明は、請求項１に記載の小動物昇柱防止装置において、前記開閉機構は、地上近くまで延び、前記壁部が閉じた状態で操作すると前記壁部が筒状に開口する操作部を備える、ことを特徴とする。
【０００９】
請求項３の発明は、請求項１または２に記載の小動物昇柱防止装置において、前記壁部は第１の壁部と第２の壁部とを備え、前記開閉機構は、前記第１の壁部と前記第２の壁部とを連結し屈伸自在な連結バーで構成され、外力がかからない状態では、前記連結バーが延びて前記第１の壁部と前記第２の壁部が筒状に開口し、前記小動物が接触して外力がかかると、前記連結バーが屈折して前記第１の壁部と前記第２の壁部が閉じる、ことを特徴とする。
【発明の効果】
【００１０】
請求項１の発明によれば、小動物が電柱に昇り開閉機構に接触すると、壁部が閉じるため、小動物がびっくりして本装置から退避すること、つまり威嚇効果が期待できるとともに、小動物の種類や大きさ、姿勢などによっては小動物を壁部内に閉じ込めることができる。一方、笠部が逆椀状なため、壁部内の小動物がさらに上方に昇るのを防止することができる。このようにして、小動物が電柱に昇るのをより効果的に防止することが可能となり、この結果、小動物による停電を削減することが可能となる。
【００１１】
請求項２の発明によれば、壁部が閉じた場合でも、操作部を操作することで、容易かつ迅速に壁部を筒状に開口することができる。しかも、操作部が地上近くまで延びているため、作業者が電柱に昇ることなく地上で操作が行え、より容易かつ迅速に壁部を筒状に開口することができる。
【００１２】
請求項３の発明によれば、連結バーが延びたり屈折したりするだけで、壁部が筒状に開口したり閉じたりするため、開閉機構が簡易となり、製造費を低減することができるばかりでなく、本装置の安定性、信頼性が向上し、保守、点検を削減することが可能となる。
【図面の簡単な説明】
【００１３】
【図１】この発明の実施の形態に係る小動物昇柱防止装置の壁部が開口した状態を示す正面図である。
【図２】図１の小動物昇柱防止装置の平面図である。
【図３】図１の小動物昇柱防止装置の壁部が閉じた状態を示す正面図である。
【図４】図１の小動物昇柱防止装置の縦断面図（図２のＡ−Ａ断面図）である。
【図５】図１の小動物昇柱防止装置の連結バーが延びた状態を示す拡大図である。
【図６】図５の連結バーが屈折した状態を示す拡大図である。
【発明を実施するための形態】
【００１４】
以下、この発明を図示の実施の形態に基づいて説明する。
【００１５】
図１は、この発明の実施の形態に係る小動物昇柱防止装置１を示す正面図である。この小動物昇柱防止装置１は、電力柱や通信柱を含む電柱Ｐに蛇Ｓを含む小動物が昇って配電線などに接近、接触するのを防止する装置であり、この実施の形態では、小動物が蛇Ｓの場合について、主として説明する。
【００１６】
小動物昇柱防止装置１は、全体が天板を有する四角い筒状で、主として、笠部２と、壁部３と、蛇腹部４１、４２と、開閉機構５と、を備える。
【００１７】
笠部２は、電気絶縁材で構成され、逆椀状で中央部に装着孔２ａを有し、この装着孔２ａに電柱Ｐが挿入された状態で電柱Ｐに取り付けられるものである。すなわち、図１、図２に示すように、四角い椀を軸心に沿って線対称に２つ割りしたような、第１の笠部２１と第２の笠部２２とから構成され、第１の笠部２１と第２の笠部２２の高台部２１ａ、２２ａに半円状の孔が形成されていることで、装着孔２ａが設けられている。
【００１８】
そして、高台部２１ａ、２２ａで電柱Ｐを挟むようにして装着孔２ａに電柱Ｐを挿入し、既製の電柱用バンドＢで高台部２１ａ、２２ａを縛ることで、笠部２つまり小動物昇柱防止装置１が電柱Ｐに取り付けられ、電柱用バンドＢを緩めると小動物昇柱防止装置１を外せるものである。また、第１の笠部２１の椀部２１ｂは、第２の笠部２２の椀部２２ｂよりもやや大きく、後述するように、第１の壁部３１と第２の壁部３２が重なって閉じるようになっている。
【００１９】
壁部３は、電気絶縁材で構成され、笠部２の下端から下方に延び、電柱Ｐの周囲を覆うものである。すなわち、第１の笠部２１の椀部２１ｂの下端縁と同じコ字状の断面を有し、電柱Ｐに取り付けられた状態で下方に延びる第１の壁部３１と、第２の笠部２２の椀部２２ｂの下端縁と同じコ字状の断面を有し、電柱Ｐに取り付けられた状態で下方に延びる第２の壁部３２とから構成される。ここで、壁部３の上下方向（電柱Ｐの軸心方向）の長さと水平方向（電柱Ｐの軸心に垂直な方向）の内面積は、蛇Ｓが壁部３を乗り越えられず、壁部３内に入らざるを得ないように設定されている。
【００２０】
このような壁部３は、電気絶縁性で伸縮自在な蛇腹部４１、４２を介して笠部２に連結されている。すなわち、第１の壁部３１の上端面は、その角部３１ａから斜めに下がるテーパー面に形成され、このテーパー面が第１の蛇腹部４１を介して第１の笠部２１の椀部２１ｂの下端面に接続されている。同様に、第２の壁部３２の上端面は、その角部３２ａから斜めに下がるテーパー面に形成され、このテーパー面が第２の蛇腹部４２を介して第２の笠部２２の椀部２２ｂの下端面に接続されている。
【００２１】
また、蛇腹部４１、４２にはバネ材（図示せず）が配設され、このバネ材によって壁部３が閉じる方向に常に押圧されている。すなわち、図１〜３に示すように、第１の壁部３１の上部の角部３１ａ、３１ａを結ぶ軸心を中心に、バネ材によって、第１の蛇腹部４１が展開する方向に回動され、第１の壁部３１が閉じる方向（下側が電柱Ｐに近づく方向）に回動される。同様に、第２の壁部３２の上部の角部３２ａ、３２ａを結ぶ軸心を中心に、バネ材によって、第２の蛇腹部４２が展開する方向に回動され、第２の壁部３２が閉じる方向に回動される。
【００２２】
開閉機構５は、外力がかからない状態では壁部３を筒状に開口し、小動物が接触して外力がかかると壁部３を閉じる機構である。この実施の形態では、開閉機構５は、図４に示すように、第１の壁部３１と第２の壁部３２とを連結し屈伸自在な連結バー６で構成され、外力がかからない状態では、連結バー６が延びて第１の壁部３１と第２の壁部３２が筒状に開口し、小動物が接触して外力がかかると、連結バー６が屈折して第１の壁部３１と第２の壁部３２が閉じるものである。
【００２３】
具体的には、図５、図６に示すように、連結バー６は、帯板状で中央部に屈伸部６ａを有する主連結バー６１を備え、その両端部が第１の壁部３１と第２の壁部３２の内壁面に回転自在に接続されている。また、主連結バー６１の少なくとも一方の端部が第１の壁部３１または第２の壁部３２に着脱自在となっており、これにより、小動物昇柱防止装置１を電柱Ｐに着脱できるようになっている。
【００２４】
また、主連結バー６１の屈伸部６ａを境にする一方側６１ａの上面には、短冊状の補助バー６２が固定され、この補助バー６２は他方側６１ｂに延びている。さらに、補助バー６２には嵌合ピン６２ａが設けられ、主連結バー６１の他方側６１ｂには、嵌合ピン６２ａが嵌合する嵌合孔６１ｃが設けられている。
【００２５】
そして、主連結バー６１が一直線状に延びると嵌合ピン６２ａが嵌合孔６１ｃに嵌合し、外力がかからない状態では、図１に示すように、第１の壁部３１と第２の壁部３２が筒状に開口した状態が維持される。一方、蛇Ｓが主連結バー６１に接触して外力がかかると、嵌合ピン６２ａと嵌合孔６１ｃの嵌合が外れて、図３に示すように、主連結バー６１が屈折し、蛇腹部４１、４２のバネ材によって第１の壁部３１と第２の壁部３２が閉じる。換言すると、このように壁部３が開閉するように、嵌合ピン６２ａと嵌合孔６１ｃの嵌合力、蛇腹部４１、４２のバネ材による押圧力などが設定され、従って、図２に示すように、連結バー６を複数設けてもよい。
【００２６】
また、開閉機構５は、地上近くまで延び、壁部３が閉じた状態で操作すると壁部３が筒状に開口する操作紐（操作部）７を備える。すなわち、図６に示すように、操作紐７の上端部が連結バー６の嵌合孔６１ｃを通って嵌合ピン６２ａに接続され、操作紐７の下端部が地上近くまで延びている。そして、図３に示す壁部３が閉じた状態で操作紐７を下方に引くと、図５に示すように、主連結バー６１が延びて嵌合ピン６２ａが嵌合孔６１ｃに嵌合し、第１の壁部３１と第２の壁部３２が筒状に開口する。
【００２７】
このような構成の小動物昇柱防止装置１によれば、蛇Ｓが電柱Ｐに昇り開閉機構５の主連結バー６１に接触すると、壁部３が閉じるため、蛇Ｓがびっくりして本装置１から退避すること、つまり威嚇効果が期待できるとともに、蛇Ｓの種類や大きさ、姿勢などによっては蛇Ｓを壁部３内に閉じ込めることができる。一方、笠部２が逆椀状なため、壁部３内の蛇Ｓがさらに上方に昇るのを防止することができる。このようにして、蛇Ｓが電柱Ｐに昇って配電線などに接近するのをより効果的に防止することが可能となり、この結果、蛇Ｓによる停電を削減することが可能となる。
【００２８】
また、壁部３が閉じた場合でも、操作紐７を引くだけで、容易かつ迅速に壁部３を筒状に開口することができる。しかも、操作紐７が地上近くまで延びているため、作業者が電柱Ｐに昇ることなく地上で操作が行え、より容易かつ迅速に壁部３を筒状に開口することができる。
【００２９】
さらに、連結バー６が延びたり屈折したりするだけで、壁部３が筒状に開口したり閉じたりするため、開閉機構５が簡易となり、製造費を低減することができるばかりでなく、本装置１の安定性、信頼性が向上し、保守、点検を削減することが可能となる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、開閉機構５が機械的な構造となっているが、電気的に小動物を検知したり壁部３を開閉したりしてもよい。この場合、例えば、操作盤などの操作部を地上近くに配設してもよい。また、壁部３を構成する２つの壁部３１、３２が開閉する場合について説明したが、筒状の壁部３の一部の壁面のみが開閉するようにしてもよい。
【符号の説明】
【００３１】
１        小動物昇柱防止装置
２        笠部
２１      第１の笠部
２２      第２の笠部
２ａ      装着孔
３        壁部
３１      第１の壁部
３２      第２の壁部
４１      第１の蛇腹部
４２      第２の蛇腹部
５        開閉機構
６        連結バー
７        操作紐（操作部）
Ｐ        電柱
Ｓ        蛇（小動物）
【図１】
2018174801.tif 000003
【図２】
2018174801.tif 000004
【図３】
2018174801.tif 000005
【図４】
2018174801.tif 000006
【図５】
2018174801.tif 000007
【図６】
2018174801.tif 000008